(57)【要約】【課題】体液を蓄積する体液収集体を、体液の測定が行われるまで保護する。【解決手段】粘着面５ａを有する粘着シート５と、粘着面５ａ上に設けられ、被験者から収集された体液を蓄積した体液収集体３，４と、を有する体液収集体保持シート２を支持するための支持キット１である。支持キット１は、第１シート１０と、第２シート２０と、を備えている。第１シート１０は、体液収集体保持シート２の体液収集体３，４が挿入可能な大きさを有する孔部１３，１４を備え、粘着面５ａが貼付される第１面１０ａ及び該第１面１０ａとは反対側の第２面１０ｂを有する。第２シート２０は、第１シート１０の第２面１０ｂに対して孔部１３，１４を覆うように剥離可能に貼付されている。【選択図】図１
2014163845.tif 000002
【特許請求の範囲】
【請求項１】
粘着面を有する粘着シートと、前記粘着面上に設けられ、被験者から収集された体液を蓄積した体液収集体と、を有する体液収集体保持シートを支持するための支持キットであって、
前記体液収集体保持シートの前記体液収集体が挿入可能な大きさを有する孔部を備え、前記粘着面が貼付される第１面及び該第１面とは反対側の第２面を有する第１シートと、
前記第１シートの前記第２面に対して前記孔部を覆うように剥離可能に貼付された第２シートと、
を備える
ことを特徴とする体液収集体保持シートの支持キット。
【請求項２】
前記第２シートは、前記第１シートの前記第２面に貼付される側の面に粘着層を有し、
前記第１シートの前記第２面は、粘着層を有さない非粘着面として形成されている
請求項１記載の体液収集体保持シートの支持キット。
【請求項３】
前記第１シートは、前記孔部の範囲を除いて、前記第１シートの前記第１面に貼付される前記粘着シートの前記粘着面全体を覆う大きさに形成されている
請求項１又は２記載の体液収集体保持シートの支持キット。
【請求項４】
前記第１シートの前記第１面に対して貼付された第３シートを更に備え、
前記第３シートは、前記孔部を覆うように前記第１シートの前記第１面に対して剥離可能に貼付されている
請求項１〜３のいずれか１項に記載の体液収集体保持シートの支持キット。
【請求項５】
前記第１シートの前記第１面と前記第３シートとの粘着力は、前記第１シートの前記第２面と前記第２シートとの粘着力よりも低い
請求項４記載の体液収集体保持シートの支持キット。
【請求項６】
前記第１シートの前記第１面及び前記第２面は、いずれも粘着層を有さない非粘着面であり、
前記第１シートの前記第２面は、前記第１シートの前記第１面よりも、剥離性が高い面である
請求項１〜５のいずれか１項に記載の体液収集体保持シートの支持キット。
【請求項７】
前記第１シートの前記第２面と前記第２シートとの粘着力は、前記第１シートの前記第１面に前記粘着シートの前記粘着面が貼付されたときの前記第１シートの前記第１面と前記粘着シートの前記粘着面との粘着力よりも弱い
請求項１〜６のいずれか１項に記載の体液収集体保持シートの支持キット。
【請求項８】
前記第２シートは、前記粘着シートと前記体液収集体との粘着力よりも弱い粘着力で、前記第１シートの前記孔部に挿入された前記体液収集体に接するように前記第１シートに貼付されている
請求項１〜７のいずれか１項に記載の体液収集体保持シートの支持キット。
【請求項９】
前記第２シートは、前記第１シートの前記第２面に貼付される側の面に、粘着層を有するとともに、前記第１シートの前記孔部に挿入された前記体液収集体が接する範囲に前記粘着層が形成されていない非粘着範囲を有している
請求項１〜８のいずれか１項に記載の体液収集体保持シートの支持キット。
【請求項１０】
前記第１シートは、前記体液収集体の厚さよりも薄い
請求項１〜９のいずれか１項に記載の体液収集体保持シートの支持キット。
【請求項１１】
前記第２シートは、前記第１シートの前記第２面に貼付される側の面に、粘着層を有するとともに、前記第１シートの前記第２面に貼付される側の面の外縁の少なくとも一部に前記粘着層が形成されていない非粘着範囲を有している
請求項１〜１０のいずれか１項に記載の体液収集体保持シートの支持キット。
【請求項１２】
前記第３シートは、前記第３シートの外縁の少なくとも一部に前記第１シートに粘着していない第１非粘着範囲を有し、
前記第２シートは、前記第２シートの外縁の少なくとも一部に前記第１シートと粘着していない第２非粘着範囲を有している
請求項４記載の体液収集体保持シートの支持キット。
【請求項１３】
前記第１非粘着範囲は、前記第１シートの外縁よりも外側に突出した範囲として形成され、
前記第２非粘着範囲は、前記第１シートの前記第２面と対向しているが前記第２面に粘着していない範囲として形成されている
請求項１２記載の体液収集体保持シートの支持キット。
【請求項１４】
前記第１非粘着範囲及び前記第２非粘着範囲は、前記支持キットの外縁において互いに対向する位置に形成されている
請求項１２又は１３記載の体液収集体保持シートの支持キット。
【請求項１５】
前記第１非粘着範囲は、前記第２非粘着範囲よりも広い
請求項１２〜１４のいずれか１項に記載の体液収集体保持シートの支持キット。
【請求項１６】
前記３シートは、前記第３シートの外縁の一部が前記第１シートの外縁よりも外側に突出し、前記第３シートの外縁の残りの部分が前記前記第１シートの外縁にほぼ一致するように、前記第１シートに貼付されている
請求項４、５、及び１２〜１５のいずれか１項に記載の体液収集体保持シートの支持キット。
【請求項１７】
前記支持キットは、前記粘着面上に設けられた複数の前記体液収集体を支持するための支持キットであり、
前記第１シートは、前記複数の体液収集体をそれぞれ挿入するための複数の前記孔部を有し、
前記第１シートの前記第２面には、前記複数の孔部をそれぞれ覆うように複数の前記第２シートが貼付されている
請求項１〜１６のいずれか１項に記載の体液収集体保持シートの支持キット。
【請求項１８】
前記複数の孔部の形状は、前記複数の孔部それぞれに挿入される前記複数の体液収集体の形状の相似形であり、
前記複数の孔部それぞれに挿入される前記複数の体液収集体の形状が互いに異なっていることに応じて、前記複数の孔部それぞれの形状が異なっている
請求項１７記載の体液収集体保持シートの支持キット。
【請求項１９】
前記第２シートは、前記第１シートの前記第２面に貼付される側の面に、前記孔部の位置を示すマークを有し、
前記第１シートは、前記第１面側から前記マークを視認可能に構成されている
請求項１〜１８のいずれか１項に記載の体液収集体保持シートの支持キット。
【請求項２０】
輸送用袋を更に備える
請求項１〜１９のいずれか１項に記載の体液収集体保持シートの支持キット。
【請求項２１】
粘着面を有する粘着シートと、前記粘着面上に設けられ、被験者から収集された体液を蓄積した体液収集体と、を有する体液収集体保持シートの体液収集体、を保護する方法であって、
前記体液収集体を挿入可能な大きさを有する孔部を備えた第１シートによって、前記体液収集体の周囲の前記粘着面を覆う状態にするとともに、前記第１シートの前記体液収集体保持シートに対向する面とは反対側の面に剥離可能に貼付された第２シートによって、前記孔部に挿入された前記体液収集体を覆う状態にする工程を含む
ことを特徴とする体液収集体の保護方法。
【請求項２２】
粘着面を有する粘着シートと、前記粘着面上に設けられ、被験者から収集された体液を蓄積した体液収集体と、を有する体液収集体保持シートの体液収集体、の取出方法であって、
前記体液収集体を挿入可能な大きさを有する孔部を備えた第１シートによって、前記体液収集体の周囲の前記粘着面が覆われた状態、かつ、前記第１シートの前記体液収集体保持シートに対向する面とは反対側の面に剥離可能に貼付された第２シートによって、前記孔部に挿入された前記体液収集体が覆われた状態である保護状態において、前記第２シートを前記第１シートから剥離して前記体液収集体を露出させる工程と、
露出した前記体液収集体を、前記粘着シートから取り外す工程と、
を含むことを特徴とする体液収集体の取出方法。
【発明の詳細な説明】
【技術分野】
【０００１】
本発明は、保持シートの支持キット、体液収集体の保護方法、及び体液収集体の取出方法に関する。
【背景技術】
【０００２】
特許文献１には、組織液を収集する収集部材が記載されている。この収集部材は、組織液を保持可能な保水性を有するゲルが、支持部材の粘着面によって支持された構造を有する。
収集部材を支持部材の粘着面によって被験者の皮膚に貼り付けると、被験者の組織液がゲルに移動し、組織液が経皮的にゲルに収集される。収集部材が所定時間貼り付けられた後、収集部材は皮膚から取り外される。皮膚から取り外された収集部材は、測定装置に設置され、ゲルに含まれる組織液の測定が行われる。
【先行技術文献】
【特許文献】
【０００３】
【特許文献１】特開２０１０−１６９６６２号公報
【発明の概要】
【発明が解決しようとする課題】
【０００４】
収集部材が皮膚から取り外されてから、組織液の測定が行われるまでには時間がかかることがある。例えば、被験者のいる施設と測定装置が設置された施設とが離れている場合、皮膚から取り外された収集部材を、測定装置が設置された施設まで輸送する必要があり、日数を要する。収集部材が皮膚から取り外されてから組織液の測定が行われる測定装置に供されるまでに時間を要すると、収集部材において、組織液を保持するゲルの乾燥や汚染などの問題が生じる可能性が高くなる。また、特許文献１記載の収集部材を皮膚から取り外した場合、支持部材の粘着面も露出する。そのため、収集部材を測定装置に設置するため、支持部材から収集部材を取り出す際に、支持部材の粘着面が操作者に張り付き、操作が煩雑になる場合がある。しかし、この点に関して、特許文献１では何ら考慮がなされていない。
【０００５】
そこで、本発明は、組織液などの体液を蓄積する体液収集体を、体液の収集が完了してから体液の測定が行われるまで保護し、体液の測定の際に簡便に取り扱い可能にすることを目的とする。
【課題を解決するための手段】
【０００６】
一の観点からみた本発明は、粘着面を有する粘着シートと、前記粘着面上に設けられ、被験者から収集された体液を蓄積した体液収集体と、を有する体液収集体保持シートを支持するための支持キットであって、前記体液収集体保持シートの前記体液収集体が挿入可能な大きさを有する孔部を備え、前記粘着面が貼付される第１面及び該第１面とは反対側の第２面を有する第１シートと、前記第１シートの前記第２面に対して前記孔部を覆うように剥離可能に貼付された第２シートと、を備えることを特徴とする体液収集体の支持キットである。
【０００７】
上記本発明によれば、体液収集体を、第１シートと第２シートで保護することができる。また、保護された体液収集体を取り出す際には、第２シートを第１シートから剥離させれば、体液収集体を露出させることができる。その結果、保護された体液収集体を取り外すのが容易となり、簡便に体液の測定を行うことができる。
【０００８】
前記第２シートは、前記第１シートの前記第２面に貼付される側の面に粘着層を有し、前記第１シートの前記第２面は、粘着層を有さない非粘着面として形成されているのが好ましい。第２シートが剥離されると第１シートの第２面に粘着層がなく、体液収集体を取り外すのが容易となる。
【０００９】
前記第１シートは、前記孔部の範囲を除いて、前記第１シートの前記第１面に貼付される前記粘着シートの前記粘着面全体を覆う大きさに形成されているのが好ましい。この場合、粘着面のほぼ全体を覆うことができ、粘着面が露出していることによる作業性の低下を防止できる。
【００１０】
前記第１シートの前記第１面に対して貼付された第３シートを更に備え、前記第３シートは、前記孔部を覆うように前記第１シートの前記第１面に対して剥離可能に貼付されているのが好ましい。この場合、支持キットの使用時まで、孔部によって露出する第２シートを第３シートで覆って保護することができる。第２シートにおいて、孔部に対応する範囲は、体液収集体が接するため、第３シートで保護しておくことで、この範囲に埃などが付着して体液収集体が汚染されることを防止できる。
【００１１】
前記第１シートの前記第１面と前記第３シートとの粘着力は、前記第１シートの前記第２面と前記第２シートとの粘着力よりも低いのが好ましい。この場合、先に剥離されるべき第３シートの剥離を容易にすることができる。
【００１２】
前記第１シートの前記第１面及び前記第２面は、いずれも粘着層を有さない非粘着面であり、前記第１シートの前記第２面は、前記第１シートの前記第１面よりも、剥離性が高い面であるのが好ましい。第２面の剥離性が高いことで、第１シートの第１面に保持シートが貼付された状態において、第２面に貼付された第２シートを、比較的容易に剥離させることができ有利である。
【００１３】
前記第１シートの前記第２面と前記第２シートとの粘着力は、前記第１シートの前記第１面に前記粘着シートの前記粘着面が貼付されたときの前記第１シートの前記第１面と前記粘着シートの前記粘着面との粘着力よりも弱いのが好ましい。第１シートと第２シートとの粘着力が弱いことで、第１シートの第１面に保持シートが貼付された状態において、第２面に貼付された第２シートを、比較的容易に剥離させることができ有利である。
【００１４】
前記第２シートは、前記粘着シートと前記体液収集体との粘着力よりも弱い粘着力で、前記第１シートの前記孔部に挿入された前記体液収集体に接するように前記第１シートに貼付されているのが好ましい。第２シートが体液収集体に弱い粘着力で接していることで、第２シートの剥離時に、第２シートとともに体液収集体が剥離されるのを防止できる。
【００１５】
前記第２シートは、前記第１シートの前記第２面に貼付される側の面に、粘着層を有するとともに、前記第１シートの前記孔部に挿入された前記体液収集体が接する範囲に前記粘着層が形成されていない非粘着範囲を有しているのが好ましい。この場合、第２シートと体液収集体との間に粘着力がほとんど発生せず、第２シートの剥離時に、第２シートとともに体液収集体が剥離されるのを防止できる。
【００１６】
前記第１シートは、前記体液収集体の厚さよりも薄いのが好ましい。この場合、体液収集体を粘着シートから取り外すのが容易となる。
【００１７】
前記第２シートは、前記第１シートの前記第２面に貼付される側の面に、粘着層を有するとともに、前記第１シートの前記第２面に貼付される側の面の外縁の少なくとも一部に前記粘着層が形成されていない非粘着範囲を有しているのが好ましい。
【００１８】
前記第３シートは、前記第３シートの外縁の少なくとも一部に前記第１シートに粘着していない第１非粘着範囲を有し、前記第２シートは、前記第２シートの外縁の少なくとも一部に前記第１シートと粘着していない第２非粘着範囲を有しているのが好ましい。これらの非粘着範囲は、第３シート又は第２シートを剥離させる際のつまみ部として利用することができる。
【００１９】
前記第１非粘着範囲は、前記第１シートの外縁よりも外側に突出した範囲として形成され、前記第２非粘着範囲は、前記第１シートの前記第２面と対向しているが前記第２面に粘着していない範囲として形成されているのが好ましい。第３シートの第１非粘着範囲を第１シートよりも突出させることで、使用者が、第１非粘着範囲を認識するのが容易になる。
【００２０】
前記第１非粘着範囲及び前記第２非粘着範囲は、前記支持キットの外縁において互いに対向する位置に形成されているのが好ましい。
【００２１】
前記第１非粘着範囲は、前記第２非粘着範囲よりも広いのが好ましい。
【００２２】
前記３シートは、前記第３シートの外縁の一部が前記第１シートの外縁よりも外側に突出し、前記第３シートの外縁の残りの部分が前記前記第１シートの外縁にほぼ一致するように、前記第１シートに貼付されているのが好ましい。
【００２３】
前記支持キットは、前記粘着面上に設けられた複数の前記体液収集体を支持する支持キットであり、前記第１シートは、前記複数の体液収集体をそれぞれ挿入するための複数の孔部を有し、前記第１シートの前記第２面には、前記複数の孔部をそれぞれ覆うように複数の前記第２シートが貼付されているのが好ましい。
【００２４】
前記複数の孔部の形状は、前記複数の孔部それぞれに挿入される前記複数の体液収集体の形状の相似形であり、前記複数の孔部それぞれに挿入される前記複数の体液収集体の形状が互いに異なっていることに応じて、前記複数の孔部それぞれの形状が異なっているのが好ましい。
【００２５】
前記第２シートは、前記第１シートの前記第２面に貼付される側の面に、前記孔部の位置を示すマークを有し、前記第１シートは、前記第１面側から前記マークを視認可能に構成されているのが好ましい。この場合、使用者は、孔部の位置を認識し易くなる。
【００２６】
支持キットは、輸送用袋を更に備えるのが好ましい。
【００２７】
他の観点からみた本発明は、粘着面を有する粘着シートと、前記粘着面上に設けられ、被験者から収集された体液を蓄積した体液収集体と、を有する体液収集体保持シートの体液収集体、を保護する方法であって、前記体液収集体を挿入可能な大きさを有する孔部を備えた第１シートによって、前記体液収集体の周囲の前記粘着面を覆う状態にするとともに、前記第１シートの前記体液収集体保持シートに対向する面とは反対側の面に剥離可能に貼付された第２シートによって、前記孔部に挿入された前記体液収集体を覆う状態にする工程を含むことを特徴とする体液収集体の保護方法である。
【００２８】
さらに他の観点からみた本発明は、粘着面を有する粘着シートと、前記粘着面上に設けられ、被験者から収集された体液を蓄積した体液収集体と、を有する体液収集体保持シートの体液収集体、の取出方法であって、前記体液収集体を挿入可能な大きさを有する孔部を備えた第１シートによって、前記体液収集体の周囲の前記粘着面が覆われた状態、かつ、前記第１シートの前記体液収集体保持シートに対向する面とは反対側の面に剥離可能に貼付された第２シートによって、前記孔部に挿入された前記体液収集体が覆われた状態である保護状態において、前記第２シートを前記第１シートから剥離して前記体液収集体を露出させる工程と、露出した前記体液収集体を、前記粘着シートから取り外す工程と、を含むことを特徴とする体液収集体の取出方法である。
【発明の効果】
【００２９】
本発明の体液収集体の保護キット及び保護方法によれば、体液収集体を、体液の収集が完了してから体液の測定が行われるまで保護し、体液の測定の際に簡便に取り扱い可能にすることができる。
また、本発明の体液収集体の取出方法によれば、保護された体液収集体を適切に取り出すことができる。
【図面の簡単な説明】
【００３０】
【図１】支持キットの分解斜視図である。
【図２】（ａ）は体液収集体保持シートの斜視図であり、（ｂ）は体液収集体保持シートの断面図であり、（ｃ）は体液収集体保持シートを皮膚に貼付した状態を示す図である。
【図３】支持キットの分解断面図である。
【図４】第２シートの分解斜視図である。
【図５】（ａ）は支持キットを第２シートの背面（第２シート側の面）からみた図であり、（ｂ）は（ａ）のＡ−Ａ線断面図である。
【図６】（ａ）は図５（ａ）のＢ−Ｂ線断面図であり、（ｂ）は図５（ａ）のＣ−Ｃ線断面図である。
【図７】支持キットの使用方法（前半）を示す図である。
【図８】体液収集体保持シートが支持キットによって支持された状態を示す断面図である。
【図９】支持キットの使用方法（後半）を示す図である。
【図１０】体液収集体保持シートが保持された支持キットから第２シート（取出シート）を剥離させた状態を示す断面図である。
【発明を実施するための形態】
【００３１】
以下、添付図面を参照しつつ、本発明の実施形態を詳細に説明する。
【００３２】
［１．支持キットの全体構成］
図１に示す本実施形態の支持キット１は、後述する体液収集体保持シート２（図２参照）を支持することで体液収集体保持シート２が備える体液収集体３，４を保護するためのものである。
支持キット１は、第１シート１０、第２シート２０（２１，２２）、及び第３シート３０を備えている。
なお、これら第１シート１０、第２シート２０（２１，２２）、及び第３シート３０を互いに貼付して一体化したものを支持具１００という。支持具１００だけで支持キット１を構成してもよいし、支持具１００と後述の輸送用袋４０とを含めたものを支持キット１としてもよい。
また、第１シート１０、第２シート２０（２１，２２）、及び第３シート３０は、非常に薄い部材であるので、図面においては、分かりやすくするために、各シート１０，２０，３０の厚さ方向の寸法を膨張して描いている。
【００３３】
第１シート（支持シート）１０は、支持キット１使用時において、体液収集体が設けられた粘着シート５（図２参照）が貼付されるシートである。第１シート１０は、粘着シート５の粘着面５ａを覆いつつ、体液収集体保持シート２を支持することができる。
第１シート１０には、体液収集体３，４が挿入される複数（２個）の孔部（貫通孔）１３，１４が形成されている。一方の孔部（第１孔部）１３には、後述の第１体液収集体３が挿入され、他方の孔部（第２孔部）１４には、後述の第２体液収集体４が挿入される。
なお、図示の孔部１３，１４は、第１シート１０の外縁から離れて形成されているが、第１シート１０の外縁から面内方に向けて切り欠かれた切欠状のものであってもよく、その形状は特に限定されない。すなわち、孔部１３，１４は、第１シートの一方の面１０ａ側から他方の面１０ｂ側に挿通可能となるものであれば足りる。
【００３４】
支持キット１の未使用状態において、第１シート１０の一方の面（第１面；貼付面）１０ａには、第３シート３０が剥離可能に貼付されている。第１シート１０の貼付面１０ａは、支持キット１の使用時において、体液収集体保持シート２の粘着シート５が貼付される面となる。
第１シート１０の貼付面１０ａに貼付されている第３シート３０は、支持キット１の未使用状態においては、貼付面１０ａを保護する保護シートとして機能し、支持キット１の使用の際には、粘着シート５を貼付可能とすべく第１シート１０から剥離される。
【００３５】
支持キット１の未使用状態において、第１シート１０の他方の面（第２面；取出面）１０ｂには、第２シート（取出シート）２０（２１，２２）が剥離可能に貼付されている。第２シート２０（２１，２２）は、第１シート１０の孔部１３，１４を取出面１０ｂ側から覆うためのものである。
第２シート２０は、孔部１３，１４が複数（２個）設けられていることに対応して、複数（２枚）設けられている。複数の第２シート２０のうち、一方の第２シート（第１取出シート）２１は、第１孔部１３を覆うためのものであり、他方の第２シート（第２取出シート）２２は、第２孔部１４を覆うためのものである。
【００３６】
第２シート２０が、第１シート１０の取出面１０ｂ側に貼付されていることで、体液収集体３，４が孔部１３，１４に挿入されるように体液収集体保持シート２を第１シート１０の貼付面１０ａに貼付しても、第１シート１０の取出面１０ｂ側において体液収集体３，４が孔部１３，１４から露出しないように覆って保護することができる。
また、第２シート２０は、第１シート１０に貼付された体液収集体保持シート２から体液収集体３，４を取り出す際に、体液収集体３，４を取出面１０ｂ側において露出させるべく第１シート１０から剥離される。
【００３７】
［２．体液収集体保持シート］
［２．１  体液収取具の全体構成］
図２は、支持キット１によって支持される体液収集体保持シート２を示している。この体液収集体保持シート２は、皮膚上で体液を収集するためのものであり、より具体的には、穿刺具（図示省略）によって皮膚に形成された微細孔から組織液を収集するとともに皮膚上の汗を収集するために用いられる。
【００３８】
体液収集体保持シート２は、所定時間、被験者の皮膚Ｓに貼付されることで、体液が収集・蓄積される。体液が収集・蓄積された体液収集体保持シート２は、皮膚Ｓから引き剥がされ、後述するように、支持キット１によって保護ないし支持される。
【００３９】
体液収集体保持シート２は、第１収集体（体液収集体）３、第２収集体（体液収集体）４、及び粘着シート５を備えている。
第１収集体３及び第２収集体４は、４隅が面取りされた長方形状の粘着シート５の粘着面５ａ上において当該粘着シート５の長手方向に沿って互いに離間して配設されている。
なお、粘着シート５の粘着面５ａには第１収集体３及び第２収集体４を覆うように剥離可能に貼付された剥離シート（図示省略）が設けられている。体液収集体保持シート２の使用時には当該剥離シートを剥離して、図２（ａ）（ｂ）に示すように第１収集体３及び第２収集体４を露出させる。
【００４０】
［２．２  収集体］
第１収集体３は、４隅が面取りされた長方形状を呈しており、微細孔が形成されていない被験者の皮膚Ｓ上に配設される。一方、第２収集体４は、円形形状を呈しており、被験者の皮膚Ｓの微細孔が形成された領域４００上に配設される（図２（ｃ）参照）。
本実施の形態では、第１収集体３のサイズは７ｍｍ×１２ｍｍであり、厚さｔ１は０．７ｍｍである。また、第２収集体４の直径は１０ｍｍであり、厚さｔ２は０．７ｍｍである。第１収集体３の形状は長方形に限定されるものではなく、円形、正方形など他の形状とすることもできる。また、第２収集体４の形状やサイズは、皮膚Ｓに形成される微細孔領域４００の形状やサイズに合わせて選定することができ、特に限定されるものではない。さらに、第１収集体３および第２収集体４の厚さも特に限定されるものではないが、剥離シートにより覆う必要があることなどから、通常、０．０５〜１．５ｍｍ程度の範囲で選定される。
【００４１】
第１収集体３は、微細孔が形成されていない皮膚Ｓの領域からの汗を収集し蓄積するために用いられる。一方、第２収集体４は、微細孔が形成された皮膚Ｓの領域４００からの組織液を収集し蓄積するために用いられる。第１収集体３は、第２収集体４により収集された組織液を用いた測定の結果の信頼性の判断や補正を行うために、微細孔を形成していない領域からの汗を収集する部材である。
【００４２】
第１収集体３および第２収集体４は、被験者の皮膚から抽出した組織液を保持可能な保水性を有するゲルからなっており、抽出媒体としての純水を含有している。このゲルは、組織液や汗を収集することが可能であれば、特に限定されないが、ポリビニルアルコールやポリビニルピロリドンからなる群より選ばれる少なくとも一種の親水性ポリマーから形成されたゲルが好ましい。ゲルを形成する親水性ポリマーは、ポリビニルアルコール単独またはポリビニルピロリドン単独であってもよく、両者の混合物であってもよく、ポリビニルアルコール単独またはポリビニルアルコールとポリビニルピロリドンとの混合物であることがより好ましい。
【００４３】
ゲルは、親水性ポリマーを水溶液中で架橋する方法により形成することができる。ゲルは、親水性ポリマーの水溶液を基材上に塗工して塗膜を形成し、該塗膜中に含まれる親水性ポリマーを架橋する方法により形成することができる。親水性ポリマーの架橋法としては、化学架橋法や放射線架橋法などがあるが、ゲル中に各種化学物質が不純物として混入し難い点で、放射線架橋法を採用することが望ましい。
【００４４】
［２．３  粘着シート］
第１収集体３および第２収集体４が配設される粘着シート５は、４隅が面取りされた長方形状を呈しており、その片面（第１収集体３および第２収集体４が配設される側の面）は、アクリル系粘着剤などの粘着剤を塗布して形成した粘着層を有する粘着面５ａとされている。
【００４５】
粘着シート５は、例えばポリエチレン、ポリプロピレン、ポリエステル、および、ポリウレタンなどの合成樹脂で作製することができる。その厚さは、特に限定されるものではないが、通常、０．００５〜０．２００ｍｍ程度である。
粘着シート５の大きさも特に限定されるものではないが、本実施形態では、２５ｍｍ×５０ｍｍ程度である。
【００４６】
［３．支持キットの詳細な構成］
支持キット１（支持具）１００の詳細な構成を、図１及び図３〜図６に基づいて説明する。
【００４７】
［３．１  第１シート（支持シート）］
第１シート１０は、４隅が面取りされた長方形状を呈しており、ポリエチレンテレフタレート（ＰＥＴ）などの合成樹脂によって作成されている。本実施形態の第１シート１０は、透明（無色透明）であるが、透明でなくてもよい。第１シート１０は、色を有していてもよいが、この場合、第１シート１０の素材自体が色素を含有しているのが好ましく、第１シート１０の表面に印刷されたインク層又は第１シート１０の表面に貼付されたテープなどの付加的な色彩付与部材が設けられていないのが好ましい。また第１シート１０は測定干渉物質を含有していないのが好ましい。
【００４８】
付加的な色彩付与部材が存在すると、収集体３，４が色彩付与部材に接触した場合に収集体がインク等で汚染されるおそれがある。また、収集体３，４を取り出す際に使用されるピンセットで色彩付与部材を傷つけるとその削りカスが収集体３，４を汚染するおそれがあり好ましくない。
【００４９】
第１シート１０の厚さｔは、特に限定されるものではないが、収集体３，４の取出しの容易性の観点からは、収集体３，４の厚さｔ１，ｔ２（０．７ｍｍ）よりも薄いのが好ましく、さらには、収集体３，４の厚さｔ１，ｔ２よりも十分に薄いのが好ましい。より具体的には、第１シート１０の厚さｔは、収集体３，４の厚さｔ１，ｔ２（０．７ｍｍ）の２０％以下であるのが好ましく、さらには０．０１ｍｍ以下が好ましく、さらには０．０７５ｍｍ程度が好ましい。なお、第１シート１０の厚さｔの下限としては、強度を確保する観点から、０．０５ｍｍ以上が好ましい。
【００５０】
第１シート１０の大きさも特に限定されるものではない。ただし、第１シート１０には、体液収集体保持シート２の粘着シート５が貼付されるため、第１シート１０は、粘着シート５よりも大きく形成されているのが好ましく、さらにはシート面積が粘着シート５の２倍以上あるのが好ましい。本実施形態では、第１シート１０の大きさは、５３ｍｍ×６８ｍｍ程度である。
第１シート１０が、粘着シート５よりも大きく形成されていることで、第１シート１０に粘着シート５が貼付されたときに、孔部１３，１４の範囲を除いて、粘着シート５の粘着面５ａ全体を覆うことができる。
【００５１】
第１シート１０に形成された第１孔部１３は、挿入される第１収集体３が長方形状であることに対応して相似形である長方形状に形成されている。なお、第１孔部１３は４隅が面取りされていない長方形であるが、ここでは、４隅の面取りの有無を無視して実質的に相似形であれば相似形であるとみなす。
【００５２】
第１孔部１３のサイズ（開口サイズ）は、第１収集体３を挿入可能なように、第１収集体３のサイズ以上であれば特に限定されないが、第１収集体３のサイズ以上から第１収集体３のサイズの２．５倍以下の範囲が好ましく、さらには第１収集体３のサイズの２倍程度が好ましい。本実施形態では、第１孔部１３のサイズ（開口サイズ）は、１１ｍｍ×１６ｍｍ程度であり、第１収集体３のサイズ（７ｍｍ×１２ｍｍ）よりも一回り大きくなっている。
【００５３】
第１シート１０に形成された第２孔部１４は、挿入される第２収集体４が円形状であることに対応して相似形である円形状に形成されている。
第２孔部１４のサイズ（開口サイズ）は、第２収集体４を挿入可能なように、第２収集体４のサイズ以上であれば特に限定されないが、第２収集体４のサイズ以上から第２収集体４のサイズの２．５倍以下の範囲が好ましく、さらには第２収集体４のサイズの２倍程度が好ましい。本実施形態では、第２孔部１４の直径は１４ｍｍ程度であり、第２収集体４の直径（１０ｍｍ）よりも一回り大きくなっている。
【００５４】
第１孔部１３及び第２孔部１４は、粘着シート５上における第１収集体３及び第２収集体４の間隔に合わせた間隔で第１シート１０に形成されている。複数の孔部１３，１４相互の間隔を、粘着シート５上における複数の収集体３，４相互の間隔に一致させることで、粘着シート５に設けられている各収集体３，４を対応する孔部１３，１４に位置合わせした上で、粘着シート５を第１シート１０に貼付すると、各収集体３，４を孔部１３，１４に挿入させることができる。
なお、第１孔部１３及び第２孔部１４の並置方向は、長方形状の第１シート１０の長辺方向とされている。
【００５５】
第１シート１０の両面１０ａ，１０ｂは、いずれも粘着剤が設けられておらず、粘着面を有する他のシート２０，３０，５が貼付される非粘着面とされている。本明細書において、非粘着面とは、粘着剤が設けられていない面である。第１シートの両面１０ａ，１０ｂに粘着剤が設けられていないことで、前述の色彩付与部材と同様に、粘着剤が収集体３，４の汚染源となることを回避できる。
【００５６】
ただし、第１シート１０の取出面１０ｂには、シリコーンコーティング（剥離コーティング；表面コーティング）が施されて、第１シート１０の本来の表面よりも剥離性が高められている。なお、コーティングは透明である。一方、第１シート１０の貼付面１０ａには、シリコーンコーティングが施されておらず第１シート１０の本来の表面のままである。したがって、取出面１０ｂは、貼付面１０ａよりも剥離性が高くなっている。
取出面１０ｂの剥離性が高いことで、取出シートである第２シート２０を容易に剥離させることができる。
【００５７】
また、貼付面１０ａの剥離性が低いことで、体液収集体保持シート２の粘着シート５を強固に貼付面１０ａに貼付することができる。体液収集体保持シート２の粘着シート５は、被験者の皮膚Ｓに一旦貼付されて引き剥がされた後に、貼付面１０ａに貼付されるため、貼付面１０ａへの貼付時には、粘着シート５の粘着面５ａには汗や皮膚組織の一部が付着している。このため、粘着シート５の粘着面５ａの粘着力は、貼付面１０ａへの貼付時には、粘着面５ａ元来の粘着力よりも低下する。
したがって、仮に貼付面１０ａの剥離性が高いと、貼付面１０ａに貼付された粘着シート５が剥離して脱落しやすくなるが、本実施形態では、貼付面１０ａの剥離性が低いため、粘着力が低下した粘着シート５であっても、比較的強固に貼付面１０ａへ貼付することができる。
【００５８】
［３．２  第２シート（取出シート）］
図３及び図４に示すように、２枚の第２シート２１，２２は、それぞれ、複数の層２１１，２１２，２１３，２１４，２２１，２２２，２２３，２２４を有する積層構造を有している。
【００５９】
一方の第２シート（第１取出シート）は、両面テープ等からなる第１粘着層２１１、第１収集体３の第１保護シート２１２、第１マーク（第１マーク層）２１３、及び第１マーク２１３の第１保護シート２１４を、これらの順序で積層して構成されている。
他方の第２シート（第２取出シート）は、両面テープ等からなる第１粘着層２２１、第２収集体４の第２保護シート２２２、第２マーク（第２マーク層）２２３、及び第２マーク２２３の第２保護シート２２４を、これらの順序で積層することで一体的に構成されている
【００６０】
図３に示すように、第１粘着層２１１及び第２粘着層２２１を構成する両面テープは、それぞれ、ポリエチレンなどの合成樹脂からなる基材２１１ｂ，２２１ｂの両面に粘着剤２１１ｃ，２１１ｄ，２２１ｃ，２２１ｄからなる層が形成されて構成されている。
粘着層２１１，２２１は、第２シート２１，２２を第１シート１０の取出面１０ｂに貼付させるためのものである。前述のように、第１シート１０の取出面１０ｂは、貼付面１０ａに比べて剥離性が高いため、第２シート２１，２２を第１シート１０の取出面１０ｂに貼付したときの粘着力は、仮に第１シート１０の貼付面１０ａに貼付したときの粘着力よりも低くなる。
【００６１】
また、本実施形態では、第２シート２１，２２の粘着層２１１，２２１による第１シート１０の取出面１０ｂへの粘着力は、体液収集体保持シート２（未使用状態）の粘着シート５が第１シート１０の貼付面に貼付されたときの粘着面５ａによる第１シート１０の貼付面１０ａとの粘着力よりも弱くされている。第２シート２１，２２の粘着力が弱いことで、第２シート２１，２２を剥離する際に、粘着シート５の剥離を防止しつつ容易に第２シート２１，２２を剥離させることができる。
【００６２】
収集体３，４の保護シート２１２，２２２は、４隅が面取りされた長方形状を呈しており、ポリエチレンテレフタレート（ＰＥＴ）などの合成樹脂によって作成されている。収集体３，４の保護シート２１２，２２２は、透明である。
マーク２１３，２２３は、第１シート０．０１ｍｍ程度の薄いテープ材によって構成された色（例えば、黒）付きの部材である。マーク２１３，２２３は、第１シート１０の孔部１３，１４の位置を示すためのものである。マーク２１３，２２３は、第２シート２０が第１シートに貼付されたときに、第１シート１０の孔部１３，１４それぞれの外縁の位置を示すべく、孔部１３の外縁形状に沿った大きさと形状とされている。
【００６３】
例えば、第１孔部１３の位置を示す第１マーク２１３は、第１孔部１３が長方形状であることに対応して、長方形枠状に形成されている。また、第２孔部１４の位置を示す第２マーク２２３は、第２孔部１４が円形状であることに対応して、円形枠状に形成されている。なお、図示のマーク２１３，２２３は、製作を容易にするため、一部切欠枠状に形成されているが、切欠きがなく連続した枠状に形成されていてもよい。
また、マーク２１３は、印刷によって形成されていてもよい。
【００６４】
マーク２１３，２２３の保護シート２１４，２２４は、４隅が面取りされた長方形状を呈しており、シート基材２１４ａ，２２４ａがポリエチレンテレフタレート（ＰＥＴ）などの合成樹脂によって作成されている。マーク２１３，２２３の保護シート２１４，２２４の基材２１４ａ，２２４ａのいずれか一方の面に対して、マーク２１３，２２３とは異なる色（例えば、白）のテープが全面に貼付されている。色付きテープによる着色によって、第２シート２０全体に色が付与される。なお、テープに代えて印刷によって、第２シート２０に色を付与してもよい。また、テープ又は印刷による保護シート２１４，２２４への着色は、マーク２１３，２２３の保護シート基材２１４ａ，２２４ａの両面のうち、収集体３，４の保護シート２１２，２２２側の面に対してなされるのが好ましい。この場合、収集体３，４への汚染源となりうるテープ等が第２シートの表面に露出するのを避けることができる。
【００６５】
マーク２１３，２２２の保護シート基材２１４ａ，２２４ａの一面には、粘着剤からなる粘着層２１４ｂ，２２４ｂが形成されている。収集体３，４の保護シート２１２，２２２とマーク２１３，２２３の保護シート２１４，２２４とは、マーク２１３，２２３を、所定の位置において挟んだ状態で、粘着層２１４ｂ，２２４ｂによって強固に粘着されて一体化されている。なお、図５，６では、図示の便宜上、収集体３，４の保護シート２１２，２２２とマーク２１３，２２３の保護シート２１４，２２４との間には、マーク２１３，２２３の厚み分の隙間が描かれているが、実際のマーク２１３，２２３は、非常に薄い（０．０１ｍｍ程度）ため、実際にはこのような隙間は存在しない。
【００６６】
マーク２１３，２２３が、収集体３，４の保護シート２１２，２２２とマーク２１３，２２３の保護シート２１４，２２４とで挟まれていることで、収集体３，４への汚染源となり得るマーク２１３，２２３が、第２シート２０の表面に露出するのを避けることができる。
また、マーク２１３，２２３は、保護シート２１２，２２２，２１４，２２４では挟まれているが、第１シート１０側に位置する保護シート２１１，２２１及び粘着層２１１，２２１が透明であるため、マーク２１３，２２３は、第１シート１０側である第２シート表面２１ａ，２２ａから視認可能である。さらに、第１シート１０も透明であるため、第２シート２０が第１シート１０の取出面１０ｂ側に貼付されていても、第１シート１０の貼付面１０ａ側から、マーク２１３，２２３を視認可能である。したがって、支持キット１の使用者は、マーク２１３，２２３の位置を目印にして、体液収集体保持シート２を第１シート１０の貼付面１０ａの適切な位置に貼付することができる。
【００６７】
一方、マーク２１３，２２３の保護シート２１４，２２４には、色（白色）が付されており、第２シート裏面２１ｂ，２２ｂからは、マーク２１３，２２３を視認不能又は視認困難とされている。これにより、支持キット１の使用者は、第２シート裏面２１ｂ，２２ｂからはマーク２１３，２２３を認識できず、体液収集体保持シート２を、誤って第２シート裏面２１ｂ、２２ｂに貼付してしまうのを防止することができる。
【００６８】
保護シート２１２，２１４，２２２，２２４は、それぞれ同形同大である。各保護シートの大きさは、長辺が、第１シート１０の短辺とほぼ同じ長さ（５３ｍｍ程度）であり、短辺が、第１シートの長辺のほぼ半分の長さ（３３．５ｍｍ程度）である。後述のように、両面テープからなる粘着層２１１，２２２は、保護シート２１２，２１４，２２２，２２４よりも小さいため、保護シート２１２，２１４，２２２，２２４の大きさが、複数の第２シート２１，２２それぞれの大きさとなる。
【００６９】
２枚の第２シート２１，２２の大きさは、第１シート１０のほぼ半分であるため、２枚の第２シート２１，２２を、第１シート１０の取出面１０ｂに貼付すると、図５に示すように、２枚の第２シート２１，２２で、第１シート１０の取出面１０ｂのほぼ全体を覆うことができる。したがって、第１シート１０の孔部１３，１４も、第２シート２１，２２で塞がれる。
なお、図５に示すように、２枚の第２シート２１，２２は、わずかな隙間５１を確保した状態で、第１シート１０に貼付される。
【００７０】
また、２枚の第２シート２１，２２それぞれは、第１シート１０の面内に位置する対向辺２１ｃ，２２ｃを除き、それらの外縁が第１シート１０の外縁と一致するように、第１シート１０に貼付されているため、第１シート１０と第２シート２０との一体感が高められている。
【００７１】
第２シート２０を第１シート１０に貼付させるための粘着層２１１，２２１は、４隅が面取りされた長方形状を呈している。
粘着層２１１，２２１は、第１シート１０の孔部１３，１４に対応した孔部２１１ａ，２２１ａを有している。粘着層２１１，２２１が孔部２１１ａ，２２１ａを有しているのは、第２シート２１，２２の表面（第１シート１０の取出面１０ｂに貼付される側の面）２１ａ，２２ａに、粘着層２１１，２２１以外に、非粘着範囲２１２ａ，２２２ａを形成するためである。
これらの非粘着範囲２１２ａ，２２２ａは、第１シート１０の孔部１３，１４に対応する範囲に、粘着層２１１，２２１が存在しないようにするためのものである。
【００７２】
非粘着範囲２１２ａ，２２２ａは、第１シート１０の貼付面１０ａ側から孔部１３，１４に挿入された収集体３，４が、粘着層２１１，２２１に接触することなく、第２シート２０における収集体保護シート２２１，２２２に当接させる役割を持つ。したがって、収集体３，４が粘着層２１１，２２１（の粘着剤）によって汚染されるのを防止しつつ、保護シート２２１，２２２（第２シート２１，２２）にて収集体３，４を覆うことができる。
【００７３】
また、非粘着範囲２１２ａ，２２２ａは、粘着性を有しないため、孔部１３，１４に挿入された収集体３，４が第２シート２１，２２の非粘着範囲２１２ａ，２２２ａに接しても、第２シート２１，２２と収集体３，４との間には、粘着力が発生しない。したがって、第２シート２１，２２と収集体３，４との粘着力は、ほとんどなく、粘着シート５に粘着された収集体３，４と粘着シート５との粘着力よりも弱い粘着力で収集体３，４は第２シート２１，２２に接することになる。
このため、第２シート２１，２２を第１シート１０から剥離した際に、収集体３，４は粘着シート５に粘着された状態を維持でき、収集体３，４が第２シート２１，２２側に付着して第２シート２１，２２とともに外れるおそれが少ない。
【００７４】
粘着層２１１，２２１の孔部２１１ａ，２２１ａは、非粘着範囲２１２ａ，２２２ａを、第１シート１０の孔部１３，１４よりも大きくして、孔部１３，１４の内部に粘着層２１１，２２１が露出するのを防止している。
つまり、第１シート１０第１孔部１３に対応する第１粘着層２１１の第１孔部２１１ａは、第１孔部１３の相似形である長方形状に形成されている。第１孔部２１１ａのサイズ（開口サイズ）は、１３ｍｍ×１８ｍｍ程度であり、第１孔部１３のサイズ（１１ｍｍ×１６ｍｍ）よりも一回り大きくなっている。
【００７５】
また、第１シート１０の第２孔部１４に対応する第２粘着層２２１の第２孔部２２１ａは、第２孔部１４の相似形である円形状に形成されている。第２孔部２２１ａの直径は１６ｍｍ程度であり、第２孔部１４の直径（１４ｍｍ）よりも一回り大きくなっている。
つまり、孔部２１１ａ，２２１ａは、それらの外縁が、孔部１３，１４の外縁に対して、ｄ＝１ｍｍ分の孔部２１１ａ，２２１ａの外方へ広がって形成されている。
【００７６】
また、粘着層２１１，２２１の外形形状は、保護シート２１２，２２２（第２シート２１，２２）全体の大きさよりも小さくなっている。
粘着層２１１，２２１が保護シート２１２，２２２（第２シート２１，２２）よりも小さくなっているのは、第２シート２１，２２の表面（第１シート１０の取出面１０ｂに貼付される側の面）２１ａ，２２ａの外縁（一つの短辺）付近に非粘着範囲（第２非粘着範囲）２１２ｂ、２２２ｂを形成するためである。
【００７７】
保護シート２１２，２２２（第２シート２１，２２）それぞれの大きさは、３３．５ｍｍ×５３ｍｍであるのに対して、粘着層２１１，２２１それぞれの大きさは、３３ｍｍ×４５．５ｍｍであり、粘着層２１１，２２１のほうが長辺の長さが７．５ｍｍ、短辺の長さが０．５ｍｍほど短くなっている。
粘着層２１１，２２１は、その外縁が、非粘着範囲２１２ｂ，２２２ｂが形成される短辺を除いて、他の３辺（２つの長辺及び他方の短辺）では、保護シート２１２，２２２（第２シート２１，２２）の外縁と一致するように、保護シート２１２，２２２（第２シート２１，２２）に貼付されている。
【００７８】
これらの非粘着範囲２１２ｂ、２２２ｂは、第１シート１０に貼付された第２シート２１，２２において、第１シート１０の取出面１０ｂに対向しているが、取出面１０ｂに粘着していない範囲となる（図６参照）。
【００７９】
非粘着範囲２１２ｂ，２２２ｂは、第２シート２１，２２を第１シート１０から剥離させる際に、第２シート２１，２２をつまんでめくるのを容易にするつまみ部として機能する。
また、図５（ａ）に示すように、第１シート１０の取出面１０ｂ側には、２枚の第２シート２１，２２間の隙間５１と、第２シート２１，２２の面取りによって第１シート１０を覆っていない部分５２と、が生じる。
したがって、第２シート２１，２２を剥離させる際には、つまみ部となる非粘着範囲２１２ｂ，２２２ｂを、取出面１０ｂ面上の第２シート２１，２２がない範囲５１，５２において指やピンセットなどの器具でつまんでめくることで、第２シート２１，２２を容易に剥離させることができる。
【００８０】
［３．３  第３シート（保護シート）］
第３シート３０は、４隅が面取りされた長方形状を呈している。図３に示すように、ポリエチレンテレフタレート（ＰＥＴ）などの合成樹脂によって形成された基材３０１と、基材３０１の第１シート１０側の面に形成された粘着層３０２と、基材３０１の粘着層３０３とは反対側の面に形成された表示層３０３と、を備えている。
粘着層３０２及び表示層３０３は、基材３０１の全面にわたって形成されている。
【００８１】
表示層３０３は、基材３０１に対する印刷又はテープ貼付によって形成されている。表示層３０３は、保護シートである第３シート３０を剥離させる際に、どの位置からめくれば良いかを示す剥離位置指示マーク３２を、第３シート３０の表面に形成するためのものである。図１において、剥離位置指示マーク３２は、第３シート３０の一方の長辺付近に付されており、これら剥離位置指示マーク３２が付された辺（つまみ部）を、指などでつまんでめくることで、第３シート３０を第１シート１０から剥離することができる。
【００８２】
また、表示層３０３は、第３シート３０全体に色を付すためにも用いられている。第３シート３０の色は、第１シート１０及び第２シートの色（透明及び白）以外の色（例えば、青色）として、剥離すべき第３シート３０を認識し易くするために付される。
【００８３】
第３シート３０は、その長辺の長さは第１シート１０の長辺と同じ長さ（６８ｍｍ程度）とされ、その短辺の長さは、第１シート１０の短辺の長さ（５３ｍｍ）よりも大きい長さ（６２ｍｍ）とされている。
第３シート３０は、剥離位置指示マーク３２が付された辺（外縁）以外の他の３辺では、第１シート１０の外縁と一致するとともに、剥離位置指示マーク３２が付された辺では、第１シート１０の外縁よりも（９ｍｍほど）外側に突出するように、第１シート１０に貼付されている（図５，６参照）。
【００８４】
第３シート３０において第１シート１０よりも突出した範囲３１は、粘着層３０２を有しているが、第１シート１０とは粘着していない非粘着範囲（第１非粘着範囲）３１となっている。なお、非粘着範囲３１には粘着層３０２の形成を省略してもよい。
【００８５】
この範囲３１には、前述のように剥離位置指示マーク３２が付されており、この範囲３１は、第３シート３０を剥離させる際に指などでつまむためのつまみ部となっている。つまみ部３１だけが支持キット１全体のなかで突出しているために、支持キット３１の使用者は、容易につまみ部３１の位置を認識することができる。
【００８６】
また、第２シート２１，２２のつまみ部（第２非粘着範囲２１２ｂ，２２２ｂ）は、第１シート１０から突出していないのに対して、第３シート３０のつまみ部（第１非粘着範囲３１）が第１シート１０から突出していることで、第３シート３０のつまみ部３１のほうが、支持キット３１の使用者にとって、より容易に認識できるものとなっている。
また、第２シート２１，２２は、第３シート３０の剥離位置指示マーク３２のような剥離位置指示マークを有していないため、この点からも、第３シート３０のつまみ部３１のほうが、認識容易性が高い。
後述のように、支持キット３１の使用の際には、第３シート３０のほうが、第２シート２１，２２よりも先に、第１シート１０から剥離される。したがって、先に剥離すべき第３シート３０のつまみ部３１を目立たせることで、誤って、第２シート２１，２２が先に剥離されるのを防止することができる。
【００８７】
また、図５において、第３シート３０のつまみ部（第１非粘着範囲３１）は、支持キット１の上側（一方の長辺側）に設けられているのに対して、第２シート２０のつまみ部（第２非粘着範囲２１２ｂ、２２２ｂ）は、支持キット２の下側（他方の長辺側）に設けられている。すなわち、両つまみ部３１，２１２ｂ，２２ｂは、支持キット１の外縁において互いに対向する位置（対向する辺）に形成されている。
したがって、この点からも、第３シート３０を剥離すべきときに誤って、第２シート２０を剥離してしまうことをより確実に防止することができる。
【００８８】
また、第３シート３０のつまみ部（第１非粘着範囲３１）は、その幅（第１シート１０に対する突出幅）が９ｍｍであるのに対して、第２シート３０のつまみ部（第２非粘着範囲２１２ｂ，２２２ｂ）は、その幅（粘着層２１１，２２１に対する保護シート２１２，２２２の突出幅）が７．５ｍｍであり、第３シート３０のつまみ部３１のほうが第２シート２０のつまみ部２１２ｂ，２２２ｂよりも広くなっている。
第３シート３０のつまみ部３１を広くすることで、第３シート３０を剥離させるのが第２シート２０に比べて容易になり、第３シート３０を剥離すべきときに誤って、第２シート２０を剥離してしまうことをより確実に防止することができる。
【００８９】
第３シート３０の粘着層３０２は、第１シート１０の貼付面１０ａからの剥離を容易にするため、粘着力の弱い粘着剤によって形成されている。第３シート３０の粘着層３０２の粘着力は、第２シート２１，２２の粘着層２１１，２２１（ここでは、両面テープ２１１，２２１の第１シート１０側の粘着剤２１１ｃ、２２１ｃからなる層）の粘着力よりも小さく設定されている。
【００９０】
前述のように第１シート１０の貼付面１０ａは、粘着力が低下した粘着シート５であっても確実に貼付できるように、取出面１０ｂに比べて剥離性が低く、非粘着面とされている。したがって、仮に、第３シート３０の粘着層３０２の粘着力が、第２シート２１，２２の粘着層２１１，２２１の粘着力と同等程度であると、第３シート３０のほうが第２シート２１，２２よりも、強固に第１シート１０に貼付されることになる。この結果、第３シート３０のほうが第２シート２１，２２よりも剥離させにくくなる。この場合、第３シート３０を剥離作業がより困難になって、第３シート３０を剥離する際に誤って第２シート２０を剥離させる可能性が高くなる。
【００９１】
これに対して、本実施形態では、第３シート３０のほうが、第２シート２１，２２よりも剥離が容易になるように、第３シート３０の粘着層３０２の粘着力を、第２シート２１，２２の粘着層２１１，２２１の粘着力よりも低くしている。
つまり、図１に示すように、第１シート１０と第２シート２０との粘着状態を「弱粘着（剥離可能な粘着）」というものとすると、第１シート１０と第３シート３０との粘着状態は、弱粘着よりもさらに弱い「微粘着」ということができる。
【００９２】
さらに、第３シート３０が貼付される貼付面１０ａの剥離性が低いことを考慮して、第３シート３０の粘着層３０２の粘着力を、第２シート２１，２２の粘着層２１１，２２１の粘着力よりも、十分に低くするのが好ましい。
例えば、第３シート３０の粘着層３０２の粘着力は、第２シート２１，２２の粘着層２１１，２２１（両面テープ２１１，２２１の第１シート１０側の粘着剤２１１ｃ、２２１ｃからなる層）の粘着力の１％以下であるのが好ましく、さらには０．５％以下であるのが好ましい。なお、最低限の粘着力を確保するため、第３シート３０の粘着層３０２の粘着力は、第２シート２１，２２の粘着層２１１，２２１（両面テープ２１１，２２１の第１シート１０側の粘着剤２１１ｃ、２２１ｃからなる層）の粘着力の０．１％以上が好ましく、さらには０．３％以上が好ましい。
【００９３】
第３シート３０の粘着力を低くしても、第１シート１０の貼付面１０ａは、剥離性が低く粘着しやすいため、第３シート３０が第１シートに貼付された状態を維持することができ、粘着力が弱いため、第３シート３０の剥離も容易である。
【００９４】
［４．支持キットの使用方法（保護方法・取出方法）］
［４．１  保護方法（支持方法）］
図７は、皮膚Ｓから引き剥がされた体液収集体保持シート２（の収集体３，４）を、支持キット１（支持具１００）によって保護ないし支持する手順を示している。
【００９５】
図７のステップ１に示すように、保護キット１は、輸送用袋４０に支持具１００（第１シート１０、第２シート２０、第３シート３０が一体的に貼付されたもの）を収納した状態で、使用者に供給される。輸送用袋４０は、チャック部４１を有しており、密封可能な袋体であり。輸送用袋４０としては、金属コーティング（アルミコーティング）がなされ防湿性・気密性に優れたものを用いるのが好ましい。
なお、図７における使用者は、例えば、体液収集体保持シート２を被験者に貼付する者（病院などのスタッフ）である。
【００９６】
まず、使用者は、輸送用袋４０から支持具１００を取り出す（図７のステップ１）。そして、使用者は、つまみ部３１を指などでつまんで、支持具１００から第３シート（保護シート）３０だけを剥離させる（図７のステップ２）。第３シート３０が第１シート１０から剥離されることで、第１シート１０の貼付面１０ａにおいて孔部１３，１４が露出する。
【００９７】
第１シート１０の貼付面１０ａ側からは、透明な第１シート１０を介して、第２シート２１，２２のマーク２１３，２２３が視認可能であるため、使用者は、マーク２１３，２２３を目印にして、被験者の皮膚Ｓから引き剥がした体液収集体保持シート２を第１シート１０の貼付面１０ａに貼付する（図７のステップ３）。
より詳細には、使用者は、マーク２１３，２２３を目印にして、孔部１３，１４と収集体３，４とを位置合わせして、収集体３，４が孔部１３，１４に入るように、体液収集体保持シート２の粘着シート５の粘着面５ａを第１シート１０の貼付面１０ａに貼付する。
【００９８】
図８に示すように、体液収集体保持シート２が第１シート１０に貼付されることで、粘着シート５における収集体３，４周囲の粘着面５ａが第１シート１０によって覆われた状態になる。また、孔部１３，１４に挿入された収集体３，４は、第２シート２０によって覆われた状態となる。
つまり、体液収集体保持シート２が第１シート１０に貼付されることで、収集体３，４は、粘着シート５と、第１シート１０及び第２シート２１，２２とで包まれた状態になる。これにより、収集体３，４が、乾燥したり、埃等によって汚染されたりすることを防止することができる。つまり、収集体３，４が、第１シート１０及び第２シート２１，２２によって保護ないし保持された状態となる。
また、第１シート１０は、粘着シート５よりも大きいため、粘着シート５の粘着面５ａ全体が第１シート１０によって覆われ、粘着シート５の粘着面５ａが露出しない状態となって、取扱いが容易となる。
【００９９】
そして、第１シート１０及び第２シート２１，２２に支持された体液収集体保持シート２は、輸送用袋４０に収納される（図７のステップ４）。輸送用袋４０はチャック部４１によって密封される。なお、粘着シート５の粘着面５ａは露出していないので、粘着面５ａが輸送用袋４０の内面等に付着してしまうことはない。
【０１００】
第１シート１０及び第２シート２１，２２に支持された体液収集体保持シート２を収納した輸送用袋４０は、輸送業者によって、測定のための装置が設置された施設まで輸送される（図７のステップＳ５）。収集体３，４は、第１シート１０及び第２シート２１，２２、さらには輸送用袋４０によって保護された状態で運送されるため、運送手段が一般的な郵便や宅配便であっても、収集体３，４の乾燥・汚染を防止できる。
【０１０１】
［４．２  取出方法］
図９は、第１シート１０及び第２シート２１，２２に保持された体液収集体保持シート２（保護状態にある体液収集体保持シート２）から収集体３，４を取り出す手順を示している。
なお、図８における使用者は、収集体３，４に収集された体液の測定のための装置が設置された施設において、収集体３，４を取り出す者である。
【０１０２】
第１シート１０及び第２シート２１，２２に保持された体液収集体保持シート２が収納された輸送用袋４０が輸送されてくると、使用者は、輸送用袋４０を開封して、第１シート１０及び第２シート２１，２２に保持された体液収集体保持シート２を輸送用袋４０から取り出す（図９のステップ６）。
【０１０３】
そして、使用者は、一方の第２シート（第２取出シート）２２のつまみ部２２２ｂを指などでつまんで、一方の第２シート２２を第１シート１０の取出面１０ｂから剥離させる（図９のステップ７）。第２シート２２を剥離することで、第１シート１０の孔部１４内の第２収集体１４が露出する（露出工程）。そして、使用者は、ピンセットなどの器具２００を用いて、第２収集体１４を粘着シート５から剥離させて取り外す（取り外し工程）。
取り外された第２収集体１４は、測定を行う装置（図示省略）にセットされ、第２収集体１４に蓄積された体液（組織液）の測定が行われる。
【０１０４】
続いて、使用者は、他方の第２シート（第１取出シート）２１のつまみ部２１２ｂを指などでつまんで、他方の第２シート２１を第１シート１０の取出面１０ｂから剥離させる（図９のステップ８）。第２シート２１を剥離することで、第１シート１０の孔部１３内の第１収集体１３が露出する（露出工程）。そして、使用者は、ピンセットなどの器具２００を用いて、第１収集体１３を粘着シート５から剥離させて取り外す（取り外し工程）。
取り外された第１収集体１３は、測定を行う装置（図示省略）にセットされ、第１収集体１３に蓄積された体液（汗）の測定が行われる。
【０１０５】
なお、ステップ７とステップ８を行う手順は逆でもよく、その順序は特に限定されない。また、第２収集体１４または第１収集体１３に蓄積された体液の測定は、上述のように第２収集体１４または第１収集体１３が装置にセットされて行われてもよいが、第２収集体１４または第１収集体１３に蓄積された体液が例えば純水などに抽出され、そこで抽出された体液を含む抽出物が装置にセットされて行われてもよい。
【０１０６】
ステップ７及びステップ８において、収集体３，４を露出させるために第２シート２１，２２を剥離する際において、本実施形態では、第２シート２１，２２は、収集体３，４と粘着していないため、図９に示すように収集体３，４を粘着シート５に残したまま、第２シート２１，２２を剥離するのが容易である。
また、図１０に示すように、２枚の第２シート２１，２２を両方剥離させてから、収集体３，４を取り外してもよい。
【０１０７】
なお、単に、収集体３，４を保護するだけであれば、単なる１枚のシートを粘着シート５の粘着面５ａに貼付して、当該１枚のシートと粘着シート５とで収集体３，４を包むようにすればよい。しかし、そのような保護では、収集体３，４を露出させるために当該１枚のシートを、粘着シート５から剥離させる必要がある。粘着シート５は、皮膚Ｓに貼付されるものであるため元来強い粘着力を有していることから、シートを粘着シート５から剥離させるのは容易ではない。
これに対して、本実施形態では、収集体３，４を露出させるために、剥離可能に第１シート１０に貼付された第２シート２１，２２を剥離させるだけでよいため、剥離作業が容易に行える。
【０１０８】
しかも、１枚のシートだけで収集体３，４を保護する場合、粘着シート５からシートを剥離させることができたとしても、粘着シート５の粘着面５ａが露出することになる。この場合、収集体３，４を保持シートから剥離させる取り外し工程において、粘着シート５ａの粘着面５ａに使用者の指や器具２００などが引っ付いて作業性が低下するおそれがある。
しかし、本実施形態では、収集体３，４を粘着シート５から取り外す際において、粘着シート５の粘着面５ａが孔部１３，１４内を除いて、第１シート１０によって覆われているため、使用者の指や器具２００が粘着シート５の粘着面５ａに引っ付いてしまって取り外し工程の作業性が低下することが、防止されている。
【０１０９】
また、図１０に示すように、第１シート１０の厚さｔは、収集体３，４の厚さｔ１、ｔ２に比べて小さいため、収集体３，４を容易に取り外すことができる。また、収集体３，４よりも孔部１３，１４のほうが大きいため、孔部１３，１４の外縁と収集体３，４外縁の間に間隔があり、この間隔を利用して器具２００によって収集体２００を掴むのが容易となっている。
【０１１０】
［５．変形例］
なお、本発明は、前述した実施の形態に限定されるものではなく、種々の変更が可能である。
例えば、孔部１３，１４の数は、２個に限定されるものではなく、体液収集体保持シート２における収集体の数に応じて、１個又は３個以上とすることができる。また、第２シート２０の数も、孔部１３，１４の数に応じた変更することができる。なお、第２シート２０の数は、孔部１３，１４の数よりも少なくてもよい。つまり、１枚の第２シート２０で複数の孔部１３を塞いでもよい。また上記実施の形態では、２枚の第２シート２１，２２が、わずかな隙間５１を確保した状態で、第１シート１０に貼付されるが、第１シートとほぼ同じサイズの１枚の第２シートが第１シート１０に貼付され、第２シートには、その中心を通るように切れ込み線が入っていてもよい。また、上記実施の形態では、第１マーク、第２マークは、第２シートに付されているが、第１シートに付されていてもよい。
【符号の説明】
【０１１１】
１  支持キット
２  体液収集体保持シート
３  第１収集体（体液収集体）
４  第２収集体（体液収集体）
５  粘着シート
５ａ  粘着面
１０  第１シート（支持シート）
１０ａ  第１面（貼付面；非粘着面）
１０ｂ  第２面（取出面；非粘着面）
１３  第１孔部
１４  第２孔部
２０  第２シート（取出シート）
２１  第１取出シート
２１ａ  表面（取出面に貼付される側の面）
２１１  第１粘着層（両面テープ）
２１２ａ  非粘着範囲
２１２ｂ  非粘着範囲（第２非粘着範囲）
２１３  第１マーク
２２  第２取出シート
２２ａ  表面（取出面に貼付される側の面）
２２１  第２粘着層（両面テープ）
２２２ａ  非粘着範囲
２２２ｂ  非粘着範囲（第２非粘着範囲）
２２３  第２マーク
３０  第３シート（保護シート）
３１  非粘着範囲（第１非粘着範囲）
４０  輸送用袋
１００  支持具
Ｓ  皮膚
ｔ  第１シートの厚さ
ｔ１  第１収集体の厚さ
ｔ２  第２収集体の厚さ
【図１】
2014163845.tif 000003
【図２】
2014163845.tif 000004
【図３】
2014163845.tif 000005
【図４】
2014163845.tif 000006
【図５】
2014163845.tif 000007
【図６】
2014163845.tif 000008
【図７】
2014163845.tif 000009
【図８】
2014163845.tif 000010
【図９】
2014163845.tif 000011
【図１０】
2014163845.tif 000012